(57)【要約】【課題】  ＥＳＳ点滅に続くハザード点滅を好ましい形態で実行し、より安全性の高い運転を可能にした車両用灯具システムを提供する。【解決手段】  ＣＡＲ（自動車）の走行状態に基づいてＴＳＬ（ターンシグナルランプ）の点灯を制御するＥＣＵ１を備えており、ＥＣＵ１はＣＡＲの第１の走行状態のときにＴＳＬをＥＳＳ（緊急停止）点滅させ、第２の走行状態に変化したときにＴＳＬをハザード点滅し、ハザード点滅の間に第３の走行状態を検出したときにハザード点滅を停止する。ハザード点滅により後続車による追突を確実に防止する一方で、無用なハザード点滅を回避して後続車や自車の運転者に対する悪影響を防止し、安全性の高い運転を実現する。【選択図】  図１
2009012554.tif 000002
【特許請求の範囲】
【請求項１】
少なくとも他車両から点灯の確認可能なランプを備える車両において、当該車両の走行状態に基づいて前記ランプの点灯を制御する制御装置を備え、前記制御装置は当該車両の第１の走行状態を検出したときに前記ランプを短周期で点滅する第１の点滅信号を出力し、第２の走行状態に変化したことを検出したときに前記ランプを長周期で点滅する第２の点滅信号を出力し、前記第２の点滅信号が出力されている間、第３の走行状態を検出したときに前記ランプの点滅を停止する点滅停止信号を出力することを特徴とする車両用灯具システム。
【請求項２】
前記第１の点滅信号は周波数がほぼ４Ｈｚ周期の緊急停止点滅信号であり、前記第２の点滅信号は周波数が１〜２Ｈｚ周期のハザード点滅信号であることを特徴とする請求項１に記載の車両用灯具システム。
【請求項３】
前記第１の点滅信号で点滅するランプはストップランプ又はターンシグナルランプであり、前記第２の点滅信号で点滅するランプはターンシグナルランプであることを特徴とする請求項１又は２に記載の車両用灯具システム。
【請求項４】
前記第３の走行状態の検出には、手動操作による停止信号の入力の検出を含むことを特徴とする請求項１ないし３のいずれかに記載の車両用灯具システム。
【発明の詳細な説明】
【技術分野】
【０００１】
本発明は自動車の緊急停止及び停止状態を他車に報知するためのランプ点滅制御が可能な灯具システムに関し、特に点滅状態を適切に制御することを可能にした車両用灯具システムに関するものである。
【背景技術】
【０００２】
自動車では減速時や停車時のブレーキ操作に連動して点灯するストップランプにより後続車に対する自車の減速、停車状態を報知している。また、スイッチ操作により自動車の左右両側に配置されているターンシグナルランプを両方同時に点滅して、いわゆるハザードランプとして機能させることにより後続車を含む他車に対する自車の減速、停車状態を報知している。近年、自動車の急ブレーキ操作により急減速した際に後続車の追突を防止することを目的として、自車の急減速を検知して自動的にストップランプやターンシグルナルランプを点滅させる技術が提案されている。例えば、特許文献１では、自車の制動が必要な状況を検出し、このとき後方に他車（後方車）が存在することを検出したときに、後方車に対する警告灯を点滅させる技術が提案されている。
【０００３】
このような技術を更に改善するものとして、近年、自車が急減速する走行状態となったことを制御装置が検出したときに緊急ストップシグナル（ＥＳＳ）を出し、このＥＳＳによってストップランプやターンシグナルランプをこれまでのハザードランプの点滅よりも短周期（高周波数）で点滅させるようにした灯具システムが提案されている。以下、本明細書ではＥＳＳに基づくランプの点滅を便宜的にＥＳＳ点滅と称する。このＥＳＳ点滅は点滅周期が周波数で４Ｈｚ程度であり、これまでのハザードランプの点滅（以下、ハザード点滅と称する）の周波数で１〜２Ｈｚの周期よりも短周期であるため後続車に対する警告度が強く、後続車による追突を回避する上で有効である。
【０００４】
また、ＥＳＳ点滅を行った後は、自動的にハザード点滅に切り替えることも提案されている。これは、ＥＳＳ点滅は急減速時にのみ実行されるため急減速が解消された走行状態となったときにはＥＳＳ点滅が停止される。そのため、道路が渋滞したときの最後尾で低速走行しあるいは停車したときのような場合にＥＳＳ点滅が行われなくなると後続車に対する警告度が無くなってしまい追突される危険性が生じてしまう。このような場合には、ＥＳＳ点滅からハザード点滅に自動的に切り替えるようにすることで後続車に対する警告は継続でき、追突を回避する上で有効になる。
【特許文献１】特開２００６−２５６４８０号公報
【発明の開示】
【発明が解決しようとする課題】
【０００５】
このようにＥＳＳ点滅を自動的にハザード点滅に切り替える技術は提案されているが、このハザード点滅をどのようなタイミングで停止するのかについては未だ好適な技術は提案されていない。現在の技術ではハザード点滅に切り替えられた後は、運転者が後続車の存在や走行状態を確認し、自身の判断に基づいて手操作によってハザード点滅を停止させている。そのため、後続車が自車の直後で低速走行に移り、あるいは停車する等して追突の危険性が無くなった場合でも、運転者がハザード点滅を停止する操作を行わない限りハザード点滅が継続して行われてしまい、後続車に眩惑を生じさせてしまう。この点、特許文献１の技術では後続車を検出して警告灯を点滅させているのでこのような問題に対しては有効であるが、後続車を検出するための装置が必要であり、システムが高価なものになるという問題がある。
【０００６】
また、高速走行中の緊急ブレーキ等によってＥＳＳ点滅が実行され、その後再び加速する等して緊急性が解消された場合でも、ＥＳＳ点滅が継続して行われていたり、あるいはＥＳＳ点滅から切り替わったハザード点滅が継続して行われることがあり、他車に対して無用な警告を与えてしまい他車の安全走行の点で好ましくない。この点については特許文献１においても同様な問題が生じる。また、このような状態を解消するためにはその都度運転者がハザード点滅を停止させる操作を行う必要があり、操作が面倒であると共に、自車の運転者の前方注意の障害になることになり、自車の安全走行の点で好ましくない。
【０００７】
本発明の目的はハザード点滅を好ましいタイミングで自動的に停止させることで、ＥＳＳ点滅に続くハザード点滅を好ましい形態で実行し、より安全性の高い運転を可能にした車両用灯具システムを提供するものである。
【課題を解決するための手段】
【０００８】
本発明の車両用灯具システムは、少なくとも他車両から点灯の確認可能なランプを備える車両において、当該車両の走行状態に基づいてランプの点灯を制御する制御装置を備えており、当該制御装置は当該車両の第１の走行状態を検出したときにランプを短周期で点滅する第１の点滅信号を出力し、第２の走行状態に変化したことを検出したときにランプを長周期で点滅する第２の点滅信号を出力し、第２の点滅信号が出力されている間に第３の走行状態を検出したときにランプの点滅を停止する点滅停止信号を出力することを特徴とする。
【発明の効果】
【０００９】
本発明によれば、第１の点滅信号によりランプを短周期で点滅させて緊急停止点滅を実現した後、自動的に第２の点滅信号によりランプを長周期で点滅させてハザード点滅に移行することができ、さらには当該ハザード点滅での警告が行われた後には自動的に或いは意図的にハザード点滅を停止させることができる。これにより、後続車による追突を確実に防止する一方で、無用なハザード点滅を回避して後続車や自車の運転者に対する悪影響を防止し、安全性の高い運転を実現することを可能にする。
【発明を実施するための最良の形態】
【００１０】
本発明において、第１の点滅信号は周波数がほぼ４Ｈｚ周期の緊急停止点滅信号であり、前記第２の点滅信号は周波数が１〜２Ｈｚ周期のハザード点滅信号であり、これにより車両の緊急停止点滅とハザード点滅が実現できる。すなわち、通常の危険性を報知する周波数はターンシグナルと同じ１〜２Ｈｚが良く、緊急性を報知する場合はその約２倍の周波数とすると、他車の運転者が効果的に危険度を認識できる。また、本発明において、第１の点滅信号により点滅するランプは車両のストップランプ又はターンシグナルランプで構成し、第２の点滅信号により点滅するランプは車両のターンシグナルランプで構成する。既存のストップランプやターンシグナルランプで緊急ストップシグナルによる点滅を行い、既存のターンシグナルランプでハザード点滅を行うことで、既存のランプを利用しての本発明の灯具システムが実現できる。したがって、新たな光源を用いずに緊急性を他車に報知できる。さらに、本発明において、第３の走行状態の検出には、手動操作による停止信号の入力の検出を含ませることが可能であり、これにより手操作によってハザード点滅を意図的に停止させることも可能である。すなわち、走行環境に合わせて好適にハザード点滅信号の停止を操作でき、他車への不要な報知を無くすことができる。
【実施例１】
【００１１】
次に、本発明の車両用灯具システムの実施例１を説明する。図１は実施例１のシステム構成図である。自動車ＣＡＲには複数のターンシグナルランプ（以下、ＴＳＬと称することもある）が配設されている。ここでは、自動車ＣＡＲの前部の右ヘッドランプＲＨＬと左ヘッドランプＬＨＬにそれぞれ隣接して右前ターンシグナルランプＲＦＴＳＬと左前ターンシグナルランプＬＦＴＳＬが配設されている。また、自動車ＣＡＲの後部の右ストップランプＲＳＬと左ストップランプＬＳＬにそれぞれ隣接して右後ターンシグナルランプＲＲＴＳＬと左後ターンシグナルランプＬＲＴＳＬが配設されている。また、ここでは自動車ＣＡＲの左右のフェンダー部にも右サイドターンシグナルランプＲＳＴＳＬと左サイドターンシグナルランプＬＳＴＳＬが設けられている。前記ＲＦＴＳＬとＲＲＴＳＬとＲＳＴＳＬは一体に電気接続されて両者は同時に点滅されるようになっている。同様に、ＬＦＴＳＬとＬＲＴＳＬとＬＳＴＳＬも一体に電気接続されて両者は同時に点滅されるようになっている。なお、図示は省略するが運転席に設けられてＴＳＬの点滅を確認するためのインジケータについても同様に電気接続されてＴＳＬと同時に点滅されるようになっている。ここで、後述するようにこれらのＴＳＬは周波数が４Ｈｚの短周期で点滅させることができるように、例えばＬＥＤ等の半導体光素子を光源とするランプで構成されることが好ましい。また、前記自動車にはランプ制御回路（電子制御ユニット：以下、ＥＣＵと称する）１が設けられており、当該ＥＣＵ１に入力される各種信号に基づいて自車の走行状態を検出し、この検出した走行状態に基づいて前記各ＴＳＬの点滅を制御する。
【００１２】
前記ＥＣＵ１は入力される各種信号に基づいて所要の演算を行う中央処理部（以下、ＣＰＵと称する）１１と、車載電源＋Ｂから各ＴＳＬに対して供給される点灯用の電流をオン・オフして各ＴＳＬを点滅させるための右用リレーＲＲＬと左用リレーＬＲＬとを備えており、これらのリレーＲＲＬ，ＬＲＬは前記ＣＰＵ１１によってオン・オフ制御される。このリレーＲＲＬ，ＬＲＬは機械的な接点を有するメカニカルリレー、あるいは半導体スイッチで構成されるエレクトロリレーのいずれで構成されてもよいが、少なくとも４Ｈｚ周期の短周期から１〜２Ｈｚの長周期で入力される点滅信号に追従してオン・オフ動作が可能なことが必要である。前記ＣＰＵ１１には自車の走行状態を検出するための各種信号として、ここでは車速信号、ＡＢＳ（アンチロックブレーキシステム）信号、ハザードスイッチ信号、ハザードオフスイッチ信号、ターン（方向）信号が入力される。ここで、ハザードスイッチ信号とハザードオフスイッチ信号は運転者のハザードスイッチの操作により発生する信号である。またターン信号は運転者のウインカースイッチの操作により右、左の各ターン信号が選択的に発生する信号である。また、前記ＣＰＵ１１は車速信号から自車の車速を検出すると共に、車速の変化、すなわち加速度（減速度を含む）を演算し、これら車速と加速度から自車の走行状態を判定し、予め条件設定した後述する走行状態のいずれに該当するかを判定することが可能である。
【００１３】
この灯具システムによれば、自動車ＣＡＲの右左折時等に運転者のウインカースイッチ操作により右又は左のターン信号がＥＣＵ１に入力されると、ＣＰＵ１１はこれに対応する左右のリレーＲＲＬ又はＬＲＬのいずれか一方をオン・オフ動作させる。他方のリレーはオフのままである。例えば、右リレーＲＲＬがオン・オフ制御されると、自動車右側のターンシグナルランプＲＦＴＳＬ，ＲＲＴＳＬ，ＲＳＴＳＬが点滅されてターン点滅となり、自車の進行方向を報知する。このときの点滅周期は任意であるが、ここでは１〜２Ｈｚの長周期での点滅となる。このターン点滅はターン信号が入力されなくなるまで、すなわち運転者によって、あるいはステアリング操作に連動してウインカースイッチがオフされるまで継続される。
【００１４】
また、自動車ＣＡＲの停車時や高速道路での渋滞最後尾のときに運転者がハザードスイッチを操作してハザードスイッチ信号がＥＣＵ１に入力されるとＣＰＵ１１は左右のリレーＲＲＬ又はＬＲＬの両方を同時にオン・オフ動作させる。これにより、自動車の全てのＴＳＬが点滅され、ハザード点滅となる。このときの点滅周期はターン点滅と同じ１〜２Ｈｚの長周期での点滅となる。ハザード点滅が行われているときに運転者がハザードスイッチを操作してハザードオフスイッチ信号がＥＣＵ１に入力されると、ＣＰＵ１１は左右のリレーＲＲＬ，ＬＲＬをオフにし、各ＴＳＬの点滅を停止させる。
【００１５】
次に車速信号とＡＢＳ信号に基づいてＣＰＵ１１によるＴＳＬでのＥＳＳ点滅、ハザード点滅の動作について説明する。
【００１６】
（ＥＳＳ点滅動作）
図２はＥＳＳ点滅動作のフローチャート、図３は車速と、加速度と、各ＴＳＬの点滅状態の相関を示すタイミング図である。ＣＰＵ１１は車速信号に基づいて車速と加速度を認識し、自車が所定車速Ｖ１（ここでは、Ｖ１＝５０ｋｍ／ｈ）以上で走行していることを検出したときに（Ｓ１０１）、自車の加速度が所定加速度−ａ１以下での走行状態となったとき（ここでは、所定加速度−ａ１＝−２．５ｍ／ｓ2と負の値であるので減速度と言い換えることができ、この所定減速度以下となったとき）、換言すれば緊急ブレーキ状態になったとき（Ｓ１０２）を第１の走行状態Ｃ１として検出し、第１の点滅信号としてのＥＳＳ点滅信号を出力し、このＥＳＳ点滅信号に基づいて２つのリレーＲＲＬ，ＬＲＬを制御する。このＥＳＳ点滅信号は両リレーＲＲＬ，ＬＲＬを４Ｈｚの短周期でオン・オフ制御するものである。これにより、全てのＴＳＬは短周期で点滅し、ＥＳＳ点滅を実行する（Ｓ１０３）。このＥＳＳ点滅により後続車に対して自車が緊急減速の状況にあることを警告する。なお、ステップＳ１０１，Ｓ１０２においてそれぞれの条件を満たさないときにはＥＳＳ点滅は実行しない。なお、この第１の走行状態Ｃ１としての走行状態は緊急減速時に発生するＡＢＳ信号がＣＰＵ１１に入力されることによっても検出してもよい。ＣＰＵ１１は第１の走行状態が続いている間はＥＳＳ信号を継続して出力し、したがってＥＳＳ点滅は継続される。
【００１７】
（ハザード点滅動作）
図４はハザード点滅動作のフローチャートである。ＥＳＳ点滅が行われているとき（Ｓ２０１）に第１の走行状態Ｃ１が解消され、ＣＰＵ１１が第２の走行状態Ｃ２を検出したとき、ここでは加速度が前記所定加速度−ａ１より大きくなったこと（すなわち、減速度が緩和されて緊急減速状態を脱したとき）を検出したときには（Ｓ２０２）、ＥＳＳ点滅を停止すると同時に（Ｓ２０３）、第２の点滅信号としてハザード点滅信号を出力し、このハザード点滅信号に基づいて２つのリレーＲＲＬ，ＬＲＬを制御する。ここでは、ハザード点滅信号は両リレーＲＲＬ，ＬＲＬを１〜２Ｈｚの長周期でオン・オフ制御する。これにより、全てのＴＳＬは長周期で点滅し、ハザード点滅を実行する（Ｓ２０４）。このハザード点滅により後続車に対して自車が減速ないし停止している状況にあることを警告する。なお、このときの車速は考慮しない。
【００１８】
次いで、ＣＰＵ１１は前記第２の走行状態Ｃ２でハザード点滅を行っているときに（Ｓ３０１）、各種信号に基づいて自車が第３の走行状態Ｃ３に変化したことを検出したときにハザード点滅を停止する。この第３の走行状態Ｃ３においては、次の第１ないし第８の点滅停止動作がある。これらの点滅停止動作を図５のフローチャートと図３及び図６ないし図１０のタイミング図を参照して説明する。
【００１９】
（第１の点滅停止動作）
図５において、ここでは前記第３の走行状態Ｃ３として自車の車速が所定速度Ｖ２（ここで、Ｖ２＝５〜１０ｋｍ／ｈ程度の徐行速度）未満になったことを検出したとき（Ｓ３０２）、この場合には交通量の多寡を判定する（Ｓ３０３）。ここでは、交通量を「多い」，「中」，「少ない」のいずれかであると判定することにしている。ここで、交通量の多寡については運転者が判定してＥＣＵ１に対して信号を入力させるようにしてもよいが、ＥＣＵ１の初期デフォルト値として交通量が少ないことをＥＣＵ１に設定しておくようにしてもよい。このステップＳ３０３において交通量が「多い」と判定した場合には、図３にタイミングを示すようにハザード点滅が開始されてから所定時間Ｔ１が経過したことを判定したときに（Ｓ３０４）、ＴＳＬのハザード点滅を停止する（Ｓ３０７）。この時間Ｔ１は例えば５秒程度とする。これは交通量が比較的に多い高速道路を走行している際に渋滞が発生し、渋滞の最後尾について最徐行ないし停車した場合に、後続車が自車の後ろに付くまでの間はハザード点滅を継続して追突を防止する。このような交通量の多い場合の渋滞では、統計的に見て時間Ｔ１以内で後続車が自車の後ろに付く確率が高いので、この時間Ｔ１の間はハザード点滅を継続し、この時間Ｔ１が経過後は自動的にハザード点滅を停止することで無用なハザード点滅を止め、後続車が自車の後ろについたときにもハザード点滅が継続されることによって後続車に対する眩惑や運転者がインジケータが点滅している煩わしさを解消する。
【００２０】
（第２の点滅停止動作）
図５のステップＳ３０３において交通量が「少ない」と判定したときには、図６にタイミングを併せて示すように、自車の車速がＶ２未満の間はハザード点滅を継続する（Ｓ３０５）。これは交通量が少ない高速道路を走行している際に工事規制等による渋滞が発生し、渋滞の最後尾について徐行しているような場合には、後続車がいつ自車の後ろに付くか判らないが、安全のために運転者が後続車が自車の後ろについて停車ないし減速するまでは安全のためにハザード点滅を継続する。したがって、この第２の点滅停止動作はハザード点滅を停止しない動作である。交通量の多寡については前述のようにＥＣＵ１の初期デフォルト値として交通量が少ないことをＥＣＵ１に設定しておけば、原則として自車が停車ないし停車に近い走行状態になったときにはハザード点滅は継続されることになり、安全性を確保することができる。この場合、ハザード点滅は無限に継続されるため、ハザードオフスイッチ信号が入力されたときに（Ｓ３１１）、ハザード点滅を停止する（Ｓ３０７）。
【００２１】
（第３の点滅停止動作）
図５のステップＳ３０３において交通量が「中」と判定したときは、図７にタイミングを併せて示すように、自車の車速が所定速度Ｖ２よりもさらに低速の所定速度Ｖ３（ここて、Ｖ３＝０．７ｋｍ／ｈないし停車に近い速度）になってから所定時間Ｔ１が経過したことを判定したときに（Ｓ３０６）、ＴＳＬのハザード点滅を停止する（Ｓ３０７）。これは交通量が多くもなく、少なくもない高速道路を走行しているときに渋滞や道路規制等で減速して徐行ないし停車したときには、交通量が多い場合よりは長い時間であるが交通量が少ない場合よりは短い時間で後続車が自車の後ろに付くことが多いので、それまでの間ハザード点滅を継続する。すなわち、前記第１の点滅停止動作よりも長い時間だけハザードを点滅させる一方で、前記第２の点滅停止動作よりも短い時間だけハザードを点滅させることで、交通量に対応して安全性を確保する一方で、無駄な点滅を解消する。ここでの所定時間Ｔ１は、第１の点滅停止動作の所定時間Ｔ１と同じにしているが、異なる時間であってもよい。
【００２２】
（第４の点滅停止動作）
第４の点滅停止動作は、ハザード点滅が開始された後においても車速が所定速度Ｖ２以上の速度を維持している場合にハザード点滅を停止する動作である。ここでは先ず加速度を判定する（Ｓ３０８）。ここでは、加速度が所定加速度−ａ２，ａ２を基準にし、「ａ２以上」，「−ａ２未満」，「−ａ２以上ａ２未満」のいずれであるかを判定する。ここで、所定加速度−ａ２と所定加速度ａ２の絶対値は同じにしてあり、例えば０．７８ｍ／ｓ2とする。したがって、所定加速度−ａ２は減速であり、所定加速度ａ２は加速となる。第１ないし第３の点滅停止動作の場合のように自車が徐行ないし停車することなく、図５及び図８に示すように、ステップＳ３０２で自車の車速が所定速度Ｖ２以上の速度での走行であると判定したときに、ステップＳ３０８で自車の加速度が所定加速度−ａ２以上でａ２未満であると判定したときには、ハザード点滅が開始されてから時間Ｔ２を経過した時点（Ｓ３０９）でハザード点滅を停止する（Ｓ３０７）。時間Ｔ２は前記時間Ｔ１よりも短い時間であり、例えば３秒程度である。高速道路での渋滞の最後尾についた場合でも、比較的に短い自然渋滞の場合には自車が停車することはなく、渋滞の流れに伴って速度Ｖ２、すなわち徐行速度以上の速度で走行しており、しかも等速に近い状態での走行が継続されていて後続車に追突されるおそれが少ないので、ハザード点滅が開始されてから時間Ｔ２の間だけハザード点滅を継続すれば後続車に対して十分な警告が可能である。この時間Ｔ２が経過後は自動的にハザード点滅を停止することで無用なハザード点滅を止め、後続車に対する眩惑や運転者がインジケータが点滅している煩わしさを解消する。
【００２３】
（第５の点滅停止動作）
第５の点滅停止動作は基本的には第４の点滅停止動作と同じであるが、ここでは図５のステップＳ３０９における所定時間Ｔ２の計時を、車速が所定速度Ｖ４（ここでＶ４＝２０ｋｍ／ｈ程度）よりも高速になった時点から計時している。図９に示すように、自車が車速Ｖ２以上であるが所定速度Ｖ４よりも低速となった後、所定加速度−ａ２以上でａ２未満で車速が緩やかに増加して行き、所定速度Ｖ４以上になったときには、それまで継続していたハザード点滅の時間とは関係なく、車速が所定速度Ｖ４以上になった時点から所定時間Ｔ２の計時を開始し、時間Ｔ２の経過後にハザード点滅を停止させる（Ｓ３０７）。車速が増加したときには速やかにハザード点滅を停止させることが好ましい。なお、この第５の点滅動作停止では、所定速度Ｖ４以上になった時点の代わりに、所定加速度−ａ２以上になった時点から所定時間Ｔ２が経過するまでハザードの点滅を行うようにしてもよい。
【００２４】
（第６の点滅停止動作）
第６の点滅停止動作は第４及び第５のハザード点滅停止動作と同様に車速が所定速度Ｖ２以上の速度を維持している場合に（Ｓ３０２）、ハザード点滅を停止する動作である。ここでは、図５及び図１０に示すように、ステップＳ３０８において自車の加速度がａ２以上であると判定したときには、ハザード点滅が開始されてから所定時間Ｔ３を経過した時点（Ｓ３１０）でハザード点滅を停止する（Ｓ３０７）。この所定時間Ｔ３は前記所定時間Ｔ２と同程度の時間かそれよりも短い時間であり、例えば０．５秒である。高速道路等での自動車の流れが一時的に渋滞したような場合には、渋滞の最後尾について減速しても直に渋滞を抜けて車速を増加させる場合があり、特にこの場合には所定加速度ａ２以上の加速度であるので車速が増加している状態であり、後続車の追突のおそれは少なく直にハザード点滅を停止させる。これにより、後続車の追突のおそれが解消された後もハザード点滅がいたずらに継続されることが防止される。
【００２５】
（第７の点滅停止動作）
第７の点滅停止動作は基本的には第６の点滅停止動作と同じであるが、ここでは図５のステップＳ３１０における所定時間Ｔ３の計時を、タイミング図は省略するが、車速が所定速度Ｖ４よりも一旦下がった後、再びＶ４より高速になった時点から計時している。なお、この場合において、車速が所定速度Ｖ４以上になった時点の代わりに加速度が所定加速度ａ２以上になった時点から所定時間Ｔ３を計時するようにしてもよい。
【００２６】
（第８の点滅停止動作）
図５において、ステップＳ３０２で車速が所定車速Ｖ２以上の場合でも自車の減速状態が極めて緩やかな場合、ここではステップＳ３０８において加速度が−ａ２未満の場合であると判定したときには、ハザード点滅を継続させる（Ｓ３０５）。すなわち、タイミング図は省略するが図６に示した第２の点滅停止動作と同じ動作を行う。これは車速がＶ２以上であっても自車が減速状態にあるときには、短い時間で車速がＶ２未満になることが想定されるため、自車の走行状態が変化されるまでの間はハザード点滅を継続していることが安全の点で好ましいからである。
【００２７】
なお、前記第１ないし第８の点滅停止動作においては、いずれの場合においてもハザード点滅が行われている最中でも運転者によってハザードスイッチが操作されたときにハザード点滅を強制的に停止する動作を含ませるようにしてもよい。運転者によってハザード点滅を継続する必要がないと判断された場合には、直ちにハザード点滅を停止させることが好ましいからである。なお、図５において図示は省略しているが、ハザードオフスイッチ信号に基づいてＴＳＬのハザード点滅を停止するステップをステップＳ３０１の上流に配置するようにフローを構成することも可能である。
【００２８】
以上のように、実施例１ではＥＳＳ点滅からハザード点滅に切り替わった後は自動車の走行状態に応じてハザード点滅を自動的に停止させることを可能にしているので、無用なハザード点滅の継続を回避し、他車に対する眩惑を防止するとともに、自車の運転者に対する煩わしさを無くし、安全運転に有益なものとなる。
【実施例２】
【００２９】
図１１は実施例２の灯具システムのシステム構成図であり、ここではＥＳＳ点滅を自動車のストップランプにて行ない、ハザード点滅をターンシグナルランプにて行うように構成している。図１と等価な部分には同一符号を付しており、自動車ＣＡＲにはターンシグナルランプＲＦＴＳＬ，ＲＳＴＳＬ，ＲＲＴＳＬ，ＬＦＴＳＬ，ＬＳＴＳＬ，ＬＲＴＳＬが配置されている。これらのＴＳＬはそれぞれ右側と左側の各ＴＳＬが一体に接続された上でそれぞれがほぼ１〜２Ｈｚの長周期でオン・オフ動作するフラッシャリレーＦＲＬを介して車載電源に接続され、このフラッシャリレーＦＲＬのオン・オフによって点滅されるようになっている。このフラッシャリレーＦＲＬはＥＣＵ１のＣＰＵ１１に接続され、ＣＰＵ１１からは後述するハザード点滅信号が入力されるようになっている。また、フラッシャリレーＦＲＬには運転者の操作によって出力されるハザードスイッチ信号とターン信号が入力され、これらの信号により左右両側のＴＳＬが同時にあるいは個別に点滅されるようになっている。
【００３０】
また、自動車の後部に配置された左右のストップランプＲＳＬ，ＬＳＬはＥＣＵ１に接続されている。ここでストップランプＲＳＬ，ＬＳＬは４Ｈｚの短周期で点滅させることができるように、例えばＬＥＤ等の半導体光素子を光源とするランプで構成されることが好ましい。前記ＥＣＵ１は実施例１と同様に入力される各種信号に基づいて所要の演算を行うＣＰＵ１１と、車載電源からストップランプＲＳＬ，ＬＳＬに供給される点灯用の電流をオン・オフしてストップランプを点灯ないし点滅させるための単一のリレーＲＬを備えており、このリレーＲＬは前記ＣＰＵ１１によってオン・オフ制御される。このリレーＲＬは機械的な接点を有するメカニカルリレー、あるいは半導体スイッチで構成されるエレクトロリレーのいずれで構成されてもよいが、少なくとも４Ｈｚの短周期で入力される点滅信号に追従してオン・オフ動作が可能なことが必要である。前記ＣＰＵ１１には自車の走行状態を検出するための各種信号として、ここでは車速信号、ＡＢＳ信号、ストップ信号、ハザードオフスイッチ信号が入力される。
【００３１】
この灯具システムによれば、自動車の右左折時等に運転者のウインカースイッチ操作により右又は左のターン信号がフラッシャリレーＦＲＬに入力されると、フラッシャリレーＦＲＬはこれに対応して左右のいずれかの回路をオン・オフ制御し、これにより対応する側のＴＳＬが点滅されてターン点滅となり、自車の進行方向を報知する。このときの点滅周期は１〜２Ｈｚの長周期での点滅となる。このターン点滅はターン信号が入力されなくなるまで、すなわち運転者によって、あるいはステアリング操作に連動してウインカースイッチがオフされるまで継続される。
【００３２】
また、自動車の停車時や高速道路での渋滞最後尾のときに運転者がハザードスイッチを操作してハザードスイッチ信号がフラッシャリレーＦＲＬに入力されるとフラッシャリレーＦＲＬは左右の回路を同時にオン・オフ制御する。これにより、全てのＴＳＬが同時に点滅され、ハザード点滅となる。このときの点滅周期はターン点滅と同じ１〜２Ｈｚの長周期での点滅となる。ハザード点滅が行われているときに運転者がハザードスイッチを操作してハザードスイッチ信号をオフ状態にすると、フラッシャリレーＦＲＬはＴＳＬの点滅を停止させる。
【００３３】
他方、自動車の走行に伴い車速信号とＡＢＳ信号がＥＣＵ１に入力されると、実施例１と同様に、ＣＰＵ１１は車速信号に基づいて車速と加速度を認識し、自車が所定車速Ｖ１以上で走行しているときに、所定加速度−ａ１以下での走行状態となったとき、すなわち第１の走行状態Ｃ１である緊急減速の走行状態となったときに第１の点滅信号としてのＥＳＳ点滅信号を出力し、このＥＳＳ点滅信号に基づいてリレーＲＬを制御する。このＥＳＳ点滅信号はリレーＲＬを４Ｈｚの短周期でオン・オフ制御し、これにより各ストップランプＲＳＬ，ＬＳＬは短周期で点滅し、ＥＳＳ点滅を実行する。なお、この第１の走行状態Ｃ１としての緊急減速の走行状態はＡＢＳ信号がＣＰＵ１１に入力されることによっても検出してもよい。ＣＰＵ１１は第１の走行状態Ｃ１が続いている間はＥＳＳ信号を継続して出力し、したがってストップランプＲＳＬ，ＬＳＬによるＥＳＳ点滅は継続される。
【００３４】
次いで、第１の走行状態Ｃ１が解消され、ＣＰＵ１１が第２の走行状態Ｃ２を検出したとき、すなわち加速度が所定加速度−ａ１よりも大きくなった状態を検出したときには第２の点滅信号としてハザード点滅信号をフラッシャリレーＦＲＬに出力する。フラッシャリレーＦＲＬはこのハザード点滅信号に含まれるハザード点滅命令に基づいて左右の回路を同時に１〜２Ｈｚの長周期でオン・オフ制御する。これにより、全てのＴＳＬは長周期で点滅し、ハザード点滅を実行する。
【００３５】
ＣＰＵ１１は前記第２の走行状態Ｃ２でハザード点滅を行っているときに、各種信号に基づいて自車が第３の走行状態Ｃ３に変化したことを検出したときにハザード点滅信号をフラッシャリレーＦＲＬに出力し、このハザード点滅信号に含まれるハザード点滅停止命令によって各ＴＳＬにおけるハザード点滅を停止する。この第３の走行状態Ｃ３においては、実施例１と同様に第１ないし第８のハザード点滅停止動作があるが、これら第１ないし第８のハザード点滅動作については実施例１と同じであるので説明は省略する。
【００３６】
ここで、前記実施例１，２における所定速度Ｖ１，Ｖ２、所定加速度−ａ１，ａ２，−ａ２、及び所定時間Ｔ１，Ｔ２，Ｔ３の各具体的な数値はあくまでも一例であり、それぞれ任意な値に設定することが可能である。また、ステップＳ３０３における交通量の多寡の判定については自車の周囲の車両を検出する環境センサを利用して判定を行うように構成することも可能である。
【００３７】
実施例１，２では運転者がウインカースイッチを操作してＴＳＬでの方向指示を行うべく左右一方のＴＳＬの点滅を行っているときにはこのＴＳＬの点滅動作が優先されることになる。すなわち、ターンシグナル点滅を行っているときには前記第１ないし第８のいずれの点滅停止動作によっても当該ＴＳＬによる方向指示の点滅が停止されることはない。また、運転者がハザードスイッチを操作してハザード点滅を行ったときにもこのハザード点滅が優先され、前記第１ないし第８のいずれの点滅停止動作によってもハザード点滅が停止されることはなく、運転者がハザードスイッチを操作してハザードオフ信号が入力されたときにのみハザード点滅が停止されることになる。
【図面の簡単な説明】
【００３８】
【図１】実施例１の車両用灯具システムの構成図である。
【図２】ＥＳＳ点滅のフローチャートである。
【図３】ＥＳＳ点滅とハザード点滅及び第１の点滅停止動作のタイミング図である。
【図４】ハザード点滅のフローチャートである。
【図５】点滅停止動作のフローチャートである。
【図６】第２の点滅停止動作のタイミング図である。
【図７】第３の点滅停止動作のタイミング図である。
【図８】第４の点滅停止動作のタイミング図である。
【図９】第５の点滅停止動作のタイミング図である。
【図１０】第６の点滅停止動作のタイミング図である。
【図１１】実施例２の車両用灯具システムの構成図である。
【符号の説明】
【００３９】
１  ＥＣＵ（ランプ制御回路）
１１  ＣＰＵ（中央処理部）
ＴＳＬ（ＲＦＴＳＬ，ＲＳＴＳＬ，ＲＲＴＳＬ，ＬＦＴＳＬ，ＬＳＴＳＬ，ＬＲＴＳＬ）  ターンシグナルランプ
ＲＳＬ，ＬＳＬ  ストップランプ
ＲＬ，ＲＲＬ，ＬＲＬ  リレー
ＦＲＬ  フラッシャリレー
ＣＡＲ  自動車
【図１】
2009012554.tif 000003
【図２】
2009012554.tif 000004
【図３】
2009012554.tif 000005
【図４】
2009012554.tif 000006
【図５】
2009012554.tif 000007
【図６】
2009012554.tif 000008
【図７】
2009012554.tif 000009
【図８】
2009012554.tif 000010
【図９】
2009012554.tif 000011
【図１０】
2009012554.tif 000012
【図１１】
2009012554.tif 000013